(57)【特許請求の範囲】
【請求項１】
画像を用紙に印刷する画像形成装置であって、
画像を用紙に印刷する印刷処理を行う印刷処理手段と、
当該画像形成装置の内部の温度を検出する温度検出手段と、
前記温度検出手段により検出された温度が動作停止温度以上となったときに、前記印刷処理手段の動作を自動的に停止させる動作停止手段と、
前記動作停止手段により前記印刷処理手段の動作が停止した後、前記温度検出手段により検出された温度が前記動作停止温度よりも低い動作再開温度以下となったときに、前記印刷処理手段の動作を自動的に再開させる第１の動作再開手段と、
前記動作停止手段により前記印刷処理手段の動作が停止した後、前記温度検出手段により検出された温度が前記動作再開温度よりも高くかつ前記動作停止温度未満である動作許可温度以下となり、かつユーザの動作再開指示が入力された場合に、前記印刷処理手段の動作を再開させる第２の動作再開手段とを備えていることを特徴とする画像形成装置。
【請求項２】
前記第２の動作再開手段により再開された直後に行われる前記印刷処理手段の動作に所定の制限を加える動作制限手段を備えていることを特徴とする請求項１に記載の画像形成装置。
【請求項３】
前記温度検出手段により検出された温度が前記動作再開温度よりも高くかつ前記動作停止温度未満である計測開始温度となってから、前記温度検出手段により検出された温度が前記動作停止温度となるまでの間、前記印刷処理手段の印刷処理により画像が印刷される用紙の枚数を計測する計測手段と、
前記動作制限手段は、前記第２の動作再開手段により再開された直後に行われる前記印刷処理手段の印刷処理により画像を印刷することができる用紙の枚数を、前記計測手段により計測された用紙の枚数未満に制限することを特徴とする請求項２に記載の画像形成装置。
【請求項４】
画像を用紙に印刷する印刷処理を行う印刷処理手段と、内部の温度を検出する温度検出手段とを備えた画像形成装置におけるオーバーヒート時の動作制御方法であって、
前記温度検出手段により検出された温度が動作停止温度以上となったときに、前記印刷処理手段の動作を自動的に停止させる動作停止工程と、
前記動作停止工程において前記印刷処理手段の動作が停止した後、前記温度検出手段により検出された温度が前記動作停止温度よりも低い動作再開温度以下となったときに、前記印刷処理手段の動作を自動的に再開させる第１の動作再開工程と、
前記動作停止工程において前記印刷処理手段の動作が停止した後、前記温度検出手段により検出された温度が前記動作再開温度よりも高くかつ前記動作停止温度未満である動作許可温度以下となり、かつユーザの動作再開指示が入力された場合に、前記印刷処理手段の動作を再開させる第２の動作再開工程とを備えていることを特徴とする動作制御方法。
【発明の詳細な説明】
【技術分野】
【０００１】
本発明は、オーバーヒート時における動作の停止および動作の再開を制御する機能を備えた画像形成装置およびオーバーヒート時の動作制御方法に関する。
【背景技術】
【０００２】
複写機、プリンタ、複合機などの画像形成装置において、複写処理または印刷処理などが長時間連続して行われると、現像部や定着部などが高温になり、オーバーヒートが生じることがある。また、オーバーヒートは、画像形成装置が高温の室内などに設置されている場合にも生じやすくなる。
【０００３】
画像形成装置は、画像形成装置内に取り付けられた温度センサなどにより、画像形成装置がオーバーヒート状態であるかどうかを検出し、画像形成装置がオーバーヒート状態である場合には、画像形成装置の動作を自動的に停止させ、オーバーヒートにより画像形成装置の故障を未然に防ぐ機能を備えているものが多い。以下、この機能を「動作停止機能」という。
【０００４】
オーバーヒート状態であることが検出され、動作停止機能により画像形成装置の動作が停止した後、動作停止状態がしばらく継続すると、画像形成装置内の温度が下がり、オーバーヒート状態が解消する。動作停止機能を有する画像形成装置は、画像形成装置内に取り付けられた温度センサなどにより、画像形成装置におけるオーバーヒート状態が解消したことを検出し、画像形成装置の動作を自動的に再開させる機能を有する。以下、この機能を「動作再開機能」という。
【発明の開示】
【発明が解決しようとする課題】
【０００５】
動作停止機能により画像形成装置の動作が停止してから、動作再開機能により画像形成装置の動作が再開するまでの間、ユーザは、当該画像形成装置を用いて複写処理も印刷処理も行うことができず、不便である。
【０００６】
特に、ユーザが、所定の時刻に間に合わせるように、大量の印刷物を急いで作成している最中に、オーバーヒートにより画像形成装置の動作が停止すると、印刷物の作成作業が中断してしまい、印刷物の作成が所定の時刻に間に合わないといった深刻な事態に陥ることがあり得る。ユーザが大量の印刷物を急いで作成する場合には、画像形成装置により印刷処理が長時間連続して行われ、オーバーヒートにより画像形成装置の動作が停止する可能性が高まる。このため、ユーザが大掛かりな急ぎの作業を強いられているときに限って、オーバーヒートにより画像形成装置が停止し、作業が中断してしまうという不都合が生じることがあり得る。
【０００７】
本発明は例えば上述したような問題に鑑みなされたものであり、本発明の課題は、オーバーヒートにより画像形成装置の動作が停止した後、ユーザの要求に応じ、画像形成装置の動作を早期に再開させることができる画像形成装置およびオーバーヒート時の動作制御方法を提供することにある。
【課題を解決するための手段】
【０００８】
上記課題を解決するために、本発明の第１の画像形成装置は、画像を用紙に印刷する画像形成装置であって、画像を用紙に印刷する印刷処理を行う印刷処理手段と、当該画像形成装置の内部の温度を検出する温度検出手段と、前記温度検出手段により検出された温度が動作停止温度以上となったときに、前記印刷処理手段の動作を自動的に停止させる動作停止手段と、前記動作停止手段により前記印刷処理手段の動作が停止した後、前記温度検出手段により検出された温度が前記動作停止温度よりも低い動作再開温度以下となったときに、前記印刷処理手段の動作を自動的に再開させる第１の動作再開手段と、前記動作停止手段により前記印刷処理手段の動作が停止した後、前記温度検出手段により検出された温度が前記動作再開温度よりも高くかつ前記動作停止温度未満である動作許可温度以下となり、かつユーザの動作再開指示が入力された場合に、前記印刷処理手段の動作を再開させる第２の動作再開手段とを備えている。
【０００９】
上記課題を解決するために、本発明の第２の画像形成装置は、上述した本発明の第１の画像形成装置であって、前記第２の動作再開手段により再開された直後に行われる前記印刷処理手段の動作に所定の制限を加える動作制限手段を備えている。
【００１０】
上記課題を解決するために、本発明の第３の画像形成装置は、上述した本発明の第２の画像形成装置であって、前記温度検出手段により検出された温度が前記動作再開温度よりも高くかつ前記動作停止温度未満である計測開始温度となってから、前記温度検出手段により検出された温度が前記動作停止温度となるまでの間、前記印刷処理手段の印刷処理により画像が印刷される用紙の枚数を計測する計測手段と、前記動作制限手段は、前記第２の動作再開手段により再開された直後に行われる前記印刷処理手段の印刷処理により画像を印刷することができる用紙の枚数を、前記計測手段により計測された用紙の枚数未満に制限する。
【００１１】
上記課題を解決するために、本発明の動作制御方法は、画像を用紙に印刷する印刷処理を行う印刷処理手段と、内部の温度を検出する温度検出手段とを備えた画像形成装置におけるオーバーヒート時の動作制御方法であって、前記温度検出手段により検出された温度が動作停止温度以上となったときに、前記印刷処理手段の動作を自動的に停止させる動作停止工程と、前記動作停止工程において前記印刷処理手段の動作が停止した後、前記温度検出手段により検出された温度が前記動作停止温度よりも低い動作再開温度以下となったときに、前記印刷処理手段の動作を自動的に再開させる第１の動作再開工程と、前記動作停止工程において前記印刷処理手段の動作が停止した後、前記温度検出手段により検出された温度が前記動作再開温度よりも高くかつ前記動作停止温度未満である動作許可温度以下となり、かつユーザの動作再開指示が入力された場合に、前記印刷処理手段の動作を再開させる第２の動作再開工程とを備えている。
【発明の効果】
【００１２】
本発明の画像形成装置によれば、オーバーヒートにより画像形成装置の動作が停止した後、ユーザの要求に応じ、画像形成装置の動作を早期に再開させることができる。具体的には、画像形成装置の内部の温度が上昇し、オーバーヒートにより画像形成装置の印刷処理の動作が停止した後、画像形成装置の内部の温度が下降し、オーバーヒートが完全に解消して画像形成装置の印刷処理が自動的に再開される時点よりも前の時点で、ユーザが動作再開指示を入力すれば、画像形成装置の印刷処理を早期に再開させることができる。
【発明を実施するための最良の形態】
【００１３】
以下、図面を参照しつつ、本発明の実施の形態について説明する。
【００１４】
（第１の実施形態）
図１は、本発明の第１の実施形態である画像形成装置を端末装置と共に示している。図１中の画像形成装置１は、例えば複写機能およびプリンタ機能を備えた複合機である。画像形成装置１は、さらに動作停止機能、動作再開機能および動作許可機能を有する。動作停止機能は、画像形成装置１がオーバーヒート状態である場合に、画像形成装置１の動作を自動的に停止させる機能である。動作再開機能は、画像形成装置１におけるオーバーヒート状態が完全に解消した場合に、画像形成装置１の動作を自動的に再開させる機能である。動作許可機能は、画像形成装置１におけるオーバーヒート状態が完全に解消する前に、ユーザの指示入力に基づいて画像形成装置１の動作を再開させる機能である。端末装置２は、例えばパーソナルコンピュータであり、画像形成装置１の遠隔操作、画像形成装置１への印刷データの送信などを行う。
【００１５】
図２は画像形成装置１の内部構造を示している。図２に示すように、画像形成装置１は、原稿読取部１１、印刷処理部１２、温度検出部１３、操作部１４、記憶部１５、通信インターフェース１６および制御ユニット１７を備えている。
【００１６】
原稿読取部１１は、例えば光学式スキャナー、原稿搬送機構などを備えている。原稿読取部１１は、画像形成装置１の複写機能による複写などを行うときに、原稿を走査し、原稿画像を読み取る。
【００１７】
印刷処理部１２は、現像部、転写部、定着部、用紙搬送機構などを備えている。印刷処理部１２は、画像形成装置１の複写機能による複写を行うときには、原稿読取部１１により読み取られた原稿画像を用紙に印刷する印刷処理を行い、画像形成装置１のプリンタ機能による印刷を行うときには、端末装置２から送信された印刷データに基づいて形成された画像を用紙に印刷する印刷処理を行う。印刷処理部１２は印刷処理手段の具体例である。
【００１８】
温度検出部１３は、画像形成装置１の内部に配置された例えば複数の温度センサ（例えばサーミスタ）を備えている。温度検出部１３は、画像形成装置１の内部の各所の温度を検出し、例えば画像形成装置１の内部の各所の温度のうち、もっとも高い温度を示す検出温度値ｔを出力する。温度検出部１３は温度検出手段の具体例である。
【００１９】
操作部１４は、操作ボタンユニット、小型液晶ディスプレイなどを備え、例えば画像形成装置１のフロントパネルに設けられている。ユーザは操作部１４を操作することにより、複写機能による複写実行指示、プリンタ機能による印刷実行指示、後述する動作再開指示などを画像形成装置１に入力することができる。なお、これらの指示は、ユーザが端末装置２を操作することによっても入力することができる。
【００２０】
記憶部１５は例えばハードディスクまたはフラッシュメモリである。通信インターフェース１６は、画像形成装置１と端末装置２との間の通信を制御する通信回路である。
【００２１】
制御ユニット１７は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）などを備えている。制御ユニット１７において、ＲＯＭには、停止制御部１８、第１の再開制御部１９、第２の再開制御部２０および総合制御部２１として制御ユニット１７を機能させるためのコンピュータプログラムが記憶されている。ＣＰＵはこのコンピュータプログラムを読み取り、これを実行することにより、制御ユニット１７を停止制御部１８、第１の再開制御部１９、第２の再開制御部２０および総合制御部２１として機能させる。ＲＡＭはＣＰＵがこのコンピュータプログラムを実行するときの作業メモリとして用いられる。
【００２２】
停止制御部１８は、温度検出部１３から出力された検出温度値ｔが動作停止温度値Ｔｓ以上となったときに、印刷処理部１２の動作を自動的に停止させる。停止制御部１８は動作停止手段の具体例である。
【００２３】
動作停止温度値Ｔｓは、画像形成装置１がオーバーヒート状態か否かを判断するための基準となる動作停止温度を示す値である。オーバーヒート状態は、画像形成装置１の内部の温度が異常に高温であるために、このまま印刷処理を続行すると、印刷処理に支障が生じ、または、画像形成装置１の故障の危険性が生じる状態である。動作停止温度は例えば５０度である。動作停止温度値Ｔｓは制御ユニット１７のＲＯＭまたは記憶部１５に記憶されている。
【００２４】
第１の再開制御部１９は、停止制御部１８により印刷処理部１２の動作が停止した後、温度検出部１３から出力された検出温度値ｔが動作再開温度値Ｔｒ以下となったときに、印刷処理部１２の動作を自動的に再開させる。第１の再開制御部１９は第１の動作再開手段の具体例である。
【００２５】
画像形成装置１がオーバーヒート状態となった後、画像形成装置１の内部の温度が通常の温度範囲内にまで下がったときに、オーバーヒート状態が完全に解消したと判断することができる。動作再開温度値Ｔｒは、画像形成装置１におけるオーバーヒート状態が完全に解消したか否かを判断するための基準となる動作再開温度を示す値である。動作再開温度は、動作停止温度よりも低く、例えば４０度である。動作再開温度値Ｔｒは制御ユニット１７のＲＯＭまたは記憶部１５に記憶されている。
【００２６】
第２の再開制御部２０は、動作停止部１８により印刷処理部１２の動作が停止した後、温度検出部１３から出力された検出温度値ｔが動作許可温度値Ｔａ以下となり、かつユーザにより動作再開指示が入力された場合に、印刷処理部１２の動作を再開させる。第２の再開制御部２０は第２の動作再開手段の具体例である。
【００２７】
動作許可温度値Ｔａは、画像形成装置１におけるオーバーヒート状態が完全に解消する前に、ユーザによる動作再開指示入力に基づいて画像形成装置１の動作を再開させるか否かを判断するための基準となる動作許可温度を示す値である。画像形成装置１がオーバーヒート状態となった後、画像形成装置１の内部の温度が下がり、この温度が、オーバーヒート状態に当たる異常な高温ではなくなったものの、通常の温度範囲内にまで下がりきってはいない場合には、通常よりもオーバーヒートが生じやすいものの、印刷処理を再開しても、印刷処理に支障が生じることがなく、または、画像形成装置１の故障の危険性が生じることもない。このような状態であるときの画像形成装置１の内部の温度を動作許可温度として設定することが望ましい。動作許可温度は、動作再開温度よりも高くかつ動作停止温度未満であり、例えば４５度である。動作許可温度値Ｔａは制御ユニット１７のＲＯＭまたは記憶部１５に記憶されている。
【００２８】
また、動作再開指示とは、画像形成装置１がオーバーヒート状態となったために印刷処理部１２の動作が停止した後、画像形成装置１の内部の温度（検出温度値ｔ）が動作許可温度以下となるまで下がったときに、印刷処理部１２の動作の再開を命じる指示である。
【００２９】
総合制御部２１は画像形成装置１を総合的に制御する。
【００３０】
図３は画像形成装置１によるオーバーヒート時の動作制御処理を示している。この動作制御処理により画像形成装置１の動作停止機能、動作再開機能および動作許可機能が実現される。
【００３１】
ユーザが操作部１４または端末装置２を操作し、複写機能による複写またはプリンタ機能による印刷の実行指示を画像形成装置１に入力すると、画像形成装置１において複写または印刷に係るジョブの実行が開始され、印刷処理部１２により印刷処理が開始される。これに伴い、動作制御処理が開始される。
【００３２】
少なくとも動作制御処理が実行されている間、温度検出部１３は、画像形成装置１の内部の各所の温度を検出し、検出温度値ｔを出力する。検出温度値ｔは制御ユニット１７に入力され、総合制御部２１により、動作停止温度値Ｔｓ、動作再開温度値Ｔｒおよび動作許可温度値Ｔａとそれぞれ比較される。
【００３３】
図３に示すように、例えば印刷処理が長時間連続して行われたことにより、画像形成装置１の内部の温度が上昇し、検出温度値ｔが動作停止温度値Ｔｓ以上となった場合には（ステップＳ１：ＹＥＳ）、停止制御部１８が印刷処理部１２の動作を停止させる（ステップＳ２）。これにより、複写または印刷に係るジョブが完了していない場合であっても、印刷処理が停止する。印刷処理の停止により、画像形成装置１の内部の温度が徐々に下がっていく。
【００３４】
停止制御部１８により印刷処理部１２の動作が停止した後、画像形成装置１の内部の温度が徐々に下がり、検出温度値ｔが動作許可温度値Ｔａ以下となった場合には（ステップＳ３：ＹＥＳ）、総合制御部２１が、操作部１４の小型液晶ディスプレイに、動作再開指示入力が可能である旨のメッセージを表示する（端末装置２により画像形成装置１を遠隔操作している場合には、このようなメッセージを端末装置２のディスプレイに表示するための指令およびデータを端末装置２に送信する）。続いて、総合制御部２１は、ユーザにより動作再開指示が入力されたか否かを判断する（ステップＳ４）。
【００３５】
ユーザにより動作再開指示が入力された場合には（ステップＳ４：ＹＥＳ）、第２の再開制御部２０が、印刷処理部１２の動作を再開させる（ステップＳ５）。これにより、ユーザによる動作再開指示入力に応じて複写または印刷に係るジョブが再開する。
【００３６】
一方、停止制御部１８により印刷処理部１２の動作が停止し、検出温度値ｔが動作許可温度値Ｔａ以下となってもユーザによる動作再開指示の入力がなく（ステップＳ４：ＮＯ）、その状態のまま時間が経過して、画像形成装置１の内部の温度が下がり、検出温度値ｔが動作再開温度値Ｔｒ以下となった場合には（ステップＳ６：ＹＥＳ）、第１の再開制御部１９が、印刷処理部１２の動作を、ユーザの指示入力を待たずに再開させる（ステップＳ７）。これにより、複写または印刷に係るジョブが自動的に再開する。
【００３７】
なお、ステップＳ１およびＳ２が動作停止工程の具体例であり、ステップＳ３、Ｓ４およびＳ５が第２の動作再開工程の具体例であり、ステップＳ６およびＳ７が第１の動作再開工程の具体例である。
【００３８】
以上説明したとおり、画像形成装置１では、印刷処理部１２の印刷処理が行われることにより画像形成装置１の内部の温度が上昇し、この温度が、例えばオーバーヒート時の温度である動作停止温度以上になると、印刷処理部１２の動作が自動的に停止する。その後、画像形成装置１の内部の温度が下がり、この温度が動作再開温度以下になると、印刷処理部１２の動作が自動的に再開する。さらに、画像形成装置１では、画像形成装置１の内部の温度が動作再開温度以下になる前であっても、この温度が動作許可温度以下になると、ユーザによる動作再開指示の入力に応じて印刷処理部１２の動作を再開させる。これにより、ユーザは、オーバーヒートのために画像形成装置１における印刷処理が停止したてから、画像形成装置１の内部の温度が動作許可温度（例えば４５度）に下がるまで待てば、印刷処理を再開させることができる。すなわち、ユーザは、オーバーヒートのために画像形成装置１における印刷処理が停止したてから、画像形成装置１の内部の温度が動作再開温度（例えば４０度）に下がるまで待たなくてもよい。したがって、画像形成装置１によれば、オーバーヒートにより印刷処理が停止した後、ユーザの要求に応じ、印刷処理を早期に再開させることができる。
【００３９】
（第２の実施形態）
図４は、本発明の第２の実施形態である画像形成装置の内部構造を示している。図４中の画像形成装置３において、図２中に示す画像形成装置１と同一の構成要素に同一の符号を付し、その説明を省略する。
【００４０】
制御ユニット１７のＲＯＭには、停止制御部１８、第１の再開制御部１９、第２の再開制御部２０および総合制御部２１に加え、用紙枚数計測部３１および動作制限部３２として制御ユニット１７を機能させるためのコンピュータプログラムが記憶されている。ＣＰＵはこのコンピュータプログラムを読み取り、これを実行することにより、制御ユニット１７を停止制御部１８、第１の再開制御部１９、第２の再開制御部２０、総合制御部２１、用紙枚数計測部３１および動作制限部３２として機能させる。
【００４１】
用紙枚数計測部３１は、温度検出部１３から出力された検出温度値ｔが計測開始温度値Ｔｍとなってから、温度検出部１３から出力された温度が動作停止温度値Ｔｓとなるまでの間、印刷処理部１２の印刷処理により画像が印刷される用紙の枚数を計測する。
【００４２】
計測開始温度値Ｔｍは、印刷処理部１２の印刷処理により画像が印刷される用紙の枚数計測を開始するか否かを判断するための基準となる計測開始温度を示す値である。計測開始温度は、動作再開温度よりも高くかつ動作停止温度未満であり、例えば、動作許可温度と等しく、４５度である。用紙枚数計測部３１は計測手段の具体例である。
【００４３】
動作制限部３２は、第２の再開制御部２０により再開された直後に行われる印刷処理部１２の動作に所定の制限を加える。具体的には、動作制限部３２は、第２の動作再開部２０により再開された直後に行われる印刷処理部１２の印刷処理により画像を印刷することができる用紙の枚数を、用紙枚数計測部３１により計測された用紙の枚数の２分の１に制限する。動作制限部３２は動作制限手段の具体例である。
【００４４】
図５は画像形成装置３によるオーバーヒート時の動作制御処理を示している。
【００４５】
ユーザが操作部１４または端末装置２を操作し、複写機能による複写またはプリンタ機能による印刷の実行指示を画像形成装置３に入力すると、画像形成装置３において複写または印刷に係るジョブの実行が開始され、印刷処理部１２により印刷処理が開始される。これに伴い、動作制御処理が開始される。
【００４６】
少なくとも動作制御処理が実行されている間、温度検出部１３は、画像形成装置３の内部の各所の温度を検出し、検出温度値ｔを出力する。検出温度値ｔは制御ユニット１７に入力され、総合制御部２１により、計測開始温度値Ｔｍ、動作停止温度値Ｔｓ、動作再開温度値Ｔｒおよび動作許可温度値Ｔａとそれぞれ比較される。
【００４７】
図５において、ステップＳ１１およびＳ１２については後述する。
【００４８】
続いて、図５中のステップＳ１３において、例えば印刷処理が連続して行われているために、画像形成装置３の内部の温度が上昇し、検出温度値ｔが計測開始温度値Ｔｍになった場合には（ステップＳ１３：ＹＥＳ）、用紙枚数計測部３１が、印刷処理部１２の印刷処理により画像が印刷される用紙の枚数計測を開始する（ステップＳ１４）。
【００４９】
続いて、印刷処理が継続し、画像形成装置３の内部の温度がさらに上昇し、検出温度値ｔが動作停止温度値Ｔｓ以上となった場合には（ステップＳ１５：ＹＥＳ）、停止制御部１８が印刷処理部１２の動作を停止させる（ステップＳ１６）。これにより、複写または印刷に係るジョブが完了していない場合であっても、印刷処理が停止する。印刷処理の停止により、画像形成装置３の内部の温度が徐々に下がっていく。
【００５０】
また、停止制御部１８が印刷処理部１２の動作を停止させたとき、用紙枚数計測部３１は、印刷処理部１２の印刷処理により画像が印刷される用紙の枚数計測を停止する（ステップＳ１７）。そして、総合制御部２１は、用紙枚数計測部３１がステップＳ１４において用紙の枚数計測を開始してから、ステップＳ１７において用紙の枚数計測を停止するまでの間に計測した用紙の枚数を示す計測枚数値を記憶部１５に記憶する。
【００５１】
停止制御部１８により印刷処理部１２の動作が停止した後、画像形成装置３の内部の温度が徐々に下がり、検出温度値ｔが動作許可温度値Ｔａ以下となった場合には（ステップＳ１８：ＹＥＳ）、総合制御部２１が、操作部１４の小型液晶ディスプレイに、動作再開指示入力が可能である旨のメッセージを表示する（端末装置２により画像形成装置３を遠隔操作している場合には、このようなメッセージを端末装置２のディスプレイに表示するための指令およびデータを端末装置２に送信する）。続いて、総合制御部２１は、ユーザにより動作再開指示が入力されたか否かを判断する（ステップＳ１９）。
【００５２】
ユーザにより動作再開指示が入力された場合には（ステップＳ１９：ＹＥＳ）、第２の再開制御部２０が、印刷処理部１２の動作を再開させる（ステップＳ２０）。このとき、動作制限部３２は、ステップＳ２０において再開された印刷処理部１２の印刷処理により画像を印刷することができる用紙の枚数を、ステップＳ１７において記憶部１５に記憶された計測枚数値が示す枚数の２分の１に制限する。これにより、複写または印刷に係るジョブが再開するが、再開直後の印刷処理により印刷される用紙の枚数は、計測枚数値が示す枚数の２分の１に制限される。
【００５３】
ステップＳ２０において印刷処理部１２の動作が再開した後、検出温度値ｔが計測開始温度値Ｔｍ未満となった場合には（ステップＳ１１：ＹＥＳ）、動作制限部３２による用紙枚数制限を解除する（ステップＳ１２）。
【００５４】
一方、停止制御部１８により印刷処理部１２の動作が停止し、検出温度値ｔが動作許可温度値Ｔａ以下となってもユーザによる動作再開指示の入力がなく（ステップＳ１９：ＮＯ）、その状態のまま時間が経過して、画像形成装置３の内部の温度が下がり、検出温度値ｔが動作再開温度値Ｔｒ以下となった場合には（ステップＳ２１：ＹＥＳ）、第１の再開制御部１９が、印刷処理部１２の動作を、ユーザの指示入力を待たずに自動的に再開させる（ステップＳ２２）。これにより、複写または印刷に係るジョブが自動的に再開する。なお、ステップＳ２２において再開された印刷処理部１２の印刷処理により画像を印刷することができる用紙の枚数は、動作制御部３２により制限されることはない。
【００５５】
以上説明したとおり、画像形成装置３では、画像形成装置３の内部の温度が動作許可温度以下になったとき、ユーザは動作再開指示を入力することにより印刷処理を再開させることができる。しかし、ユーザの動作再開指示入力による再開直後の印刷処理により画像を印刷することができる用紙の枚数は、用紙枚数計測部３１により計測された用紙の枚数の２分の１に制限される。これにより、画像形成装置３におけるオーバーヒートの再発を防止することができる。
【００５６】
なお、画像形成装置３の動作制限部３２は、第２の動作再開部２０により再開された直後に行われる印刷処理部１２の印刷処理により画像を印刷することができる用紙の枚数を、用紙枚数計測部３１により計測された用紙の枚数の２分の１に制限する場合を例にあげたが、本発明はこれに限らない。第２の動作再開部２０により再開された直後に行われる印刷処理部１２の印刷処理により画像を印刷することができる用紙の枚数を、用紙枚数計測部３１により計測された用紙の枚数未満の所定の枚数に制限してもよい。この所定の枚数は、例えば、オーバーヒートの再発防止と、印刷動作の早期再開直後の印刷処理能力の確保（どれだけ多くの枚数の印刷処理を可能にするか）とを考慮して決める。
【００５７】
また、上述した本発明の第２の実施形態である画像形成装置３では、計測開始温度を動作許可温度と等しい温度に設定する場合を例にあげたが、本発明はこれに限らない。例えば、計測開始温度を動作許可温度よりも低い温度に設定してもよい。
【００５８】
また、画像形成装置３では、動作制限部３２により印刷処理部１２の動作に加える制限として、印刷処理において画像が印刷される用紙の枚数を制限する場合を例にあげたが、本発明はこれに限らない。例えば、動作制限部３２により印刷処理部１２の動作に加える制限として、カラー印刷を禁止してモノクロ印刷だけを許可するという制限、両面印刷を禁止して片面印刷だけを許可するという制限、または印刷処理に使用できる用紙のサイズを所定のサイズ（例えばＡ４サイズ）以下にするという制限などを採用することができる。
【００５９】
また、上述した本発明の第２の実施形態である画像形成装置３では、印刷処理部１２の動作が停止した後、検出温度値ｔが動作許可温度値Ｔａ以下となった場合には、検出温度値ｔが動作許可温度値Ｔａ以下となった時点以後にユーザにより入力される動作再開指示に応じ、第２の再開制御部２０が印刷処理部１２の動作を再開させる場合を例にあげたが、本発明はこれに限らず、ユーザに動作再開指示を事前に入力させてもよい。例えば、画像形成装置３の初期設定項目に、印刷処理部１２の動作が停止した後、検出温度値ｔが動作許可温度値Ｔａ以下となった場合に印刷処理部１２の動作を自動的に再開させる否かを設定する項目を設け、ユーザがこの項目を「自動的に再開させる」と設定した場合には、この事前の設定（動作再開指示の事前の入力）に応じて第２の再開制御部２０が印刷処理部１２の動作を自動的に再開させてもよい。
【００６０】
また、上述した本発明の実施形態である画像形成装置１または３において設定した動作停止温度、動作再開温度、動作許可温度、および計測開始温度は、好適な具体例である。これらの温度は、画像形成装置１の内部の温度特性、画像形成装置１を設置する周囲の環境などを考慮して適切な温度に設定することが望ましい。
【００６１】
また、上述した本発明の画像形成装置の実施形態として、複写機能およびプリンタ機能を備えた複合機を例にあげたが、本発明はこれに限らない。本発明は、複写機、プリンタに適用することができることはもちろん、複写機能、プリンタ機能だけでなくファクシミリ機能や文書情報蓄積機能などを備えた多機能型の複合機にも適用でき、さらには印刷機能を搭載した種々の装置にも適用することができる。
【００６２】
また、本発明は、請求の範囲および明細書全体から読み取るこのできる発明の要旨または思想に反しない範囲で適宜変更可能であり、そのような変更を伴う画像形成装置および動作制御方法もまた本発明の技術思想に含まれる。
【図面の簡単な説明】
【００６３】
【図１】本発明の第１の実施形態である画像形成装置を端末装置と共に示すブロック図である。
【図２】本発明の第１の実施形態である画像形成装置の内部構造を示すブロック図である。
【図３】図２中の画像形成装置によるオーバーヒート時の動作制御処理を示すフローチャートである。
【図４】本発明の第２の実施形態である画像形成装置の内部構造を示すブロック図である。
【図５】図４中の画像形成装置によるオーバーヒート時の動作制御処理を示すフローチャートである。
【符号の説明】
【００６４】
１、３  画像形成装置
１２  印刷処理部（印刷処理手段）
１３  温度検出部（温度検出手段）
１７  制御ユニット
１８  停止制御部（動作停止手段）
１９  第１の再開制御部（第１の動作再開手段）
２０  第２の再開制御部（第２の動作再開手段）
３１  用紙枚数計測部（計測手段）
３２  動作制限部（動作制限手段）
【図１】
0005065139.tif 000002
【図２】
0005065139.tif 000003
【図３】
0005065139.tif 000004
【図４】
0005065139.tif 000005
【図５】
0005065139.tif 000006